(57)【特許請求の範囲】
【請求項１】
焦点調節機構および絞り機構を備えた交換レンズとの間で少なくとも第１および第２の電気接点を介して情報の入出力を行い、前記交換レンズの焦点調節制御および絞り制御を行う制御手段を備え、
前記絞り機構の制御に関する所定条件が成立する前は、前記第１および第２の電気接点を、前記焦点調節機構による焦点調節レンズの移動に関する第１情報を前記交換レンズから入力するために使用し、
前記第１情報は、前記第１の電気接点から入力される第１レンズ移動情報と前記第２の電気接点から入力される第２レンズ移動情報とを含み、
前記所定条件が成立すると、前記第１の電気接点を、前記交換レンズからの前記第１レンズ移動情報の入力用の電気接点として使用するとともに、前記第２の電気接点を、前記交換レンズからの前記絞り機構による絞り制御に関する第２情報の入力用の電気接点として使用することを特徴とするレンズ交換式カメラボディ。
【請求項２】
請求項１に記載のレンズ交換式カメラボディにおいて、
前記交換レンズの前記絞り機構に対して絞りの移動量の出力指令を送信可能な所定状態に設定されたときに、前記所定条件が成立したものと認識することを特徴とするレンズ交換式カメラボディ。
【請求項３】
請求項２に記載のレンズ交換式カメラボディにおいて、
静止画撮影モード設定時であって且つ静止画記録動作が指示されたとき、または動画撮影モードに設定されたときに、前記所定状態に設定されることを特徴とするレンズ交換式カメラボディ。
【請求項４】
焦点調節機構および絞り機構を備えた交換レンズとの間で少なくとも第１および第２の電気接点を介して情報の入出力を行い、前記交換レンズの焦点調節制御および絞り制御を行う制御手段を備え、
前記絞り機構の制御に関する所定条件が成立する前は、前記第１および第２の電気接点を、前記焦点調節機構による焦点調節レンズの移動に関する第１情報を前記交換レンズから入力するために使用し、
前記所定条件が成立すると、前記第１の電気接点を、前記交換レンズからの前記第１情報の入力用の電気接点として使用するとともに、前記第２の電気接点を、前記交換レンズからの前記絞り機構による絞り制御に関する第２情報の入力用の電気接点として使用し、
前記第２の電気接点が前記第２情報の入力用として使用されていないときの前記第１情報は、前記焦点調節レンズの移動量および移動方向を含み、
前記第２の電気接点が前記第２情報の入力用として使用されているときの前記第１情報は、前記焦点調節レンズの移動量のみを含むことを特徴とするレンズ交換式カメラボディ。
【請求項５】
請求項１〜４の何れか一項に記載のレンズ交換式カメラボディにおいて、
前記第２情報は、前記絞りの移動量であることを特徴とするレンズ交換式カメラボディ。
【請求項６】
焦点調節機構および絞り機構を備えた交換レンズとの間で少なくとも第１および第２の電気接点を介して情報の入出力を行い、前記交換レンズの焦点調節制御および絞り制御を行う制御手段を備え、
前記絞り機構の制御に関する所定条件が成立する前は、前記第１および第２の電気接点を、前記焦点調節機構による焦点調節レンズの移動に関する第１情報を前記交換レンズから入力するために使用し、
前記所定条件が成立すると、前記第１の電気接点を、前記交換レンズからの前記第１情報の入力用の電気接点として使用するとともに、前記第２の電気接点を、前記交換レンズからの前記絞り機構による絞り制御に関する第２情報の入力用の電気接点として使用し、
前記制御手段は、
前記第２の電気接点が前記第２情報の入力用として使用されていないときは、前記交換レンズから、前記第１の電気接点を介して前記焦点調節レンズの移動量を入力するとともに、前記第２の電気接点を介して前記焦点調節レンズの移動方向を入力し、
前記第２の電気接点が前記第２情報の入力用として使用されているときは、前記交換レンズから、前記第１の電気接点を介して前記焦点調節レンズの移動量を入力するとともに、前記第２の電気接点を介して前記絞りの移動量を入力することを特徴とするレンズ交換式カメラボディ。
【請求項７】
請求項３に記載のレンズ交換式カメラボディにおいて、
前記交換レンズの焦点調節状態を検出する焦点検出手段と、
前記交換レンズを透過して入射した光の明るさを測定する測光手段と、を備え、
前記制御手段は、前記動画撮影モード設定時に、第３の電気接点を介して前記交換レンズへ前記絞りの移動量の前記出力指令を送り、前記焦点検出手段により検出した焦点調節状態と前記焦点調節レンズの移動量とに基づいて前記焦点調節制御を行うとともに、前記測光手段により測定した明るさと前記絞りの移動量とに基づいて前記絞り制御を行うことを特徴とするレンズ交換式カメラボディ。
【請求項８】
請求項３に記載のレンズ交換式カメラボディにおいて、
前記制御手段は、前記静止画撮影モードにおいて前記静止画記録動作が指示されたときに、第３の電気接点を介して前記交換レンズへ前記絞りの移動量の前記出力指令を送り、焦点検出手段により検出した焦点調節状態と前記焦点調節レンズの移動量とに基づいて前記焦点調節制御を行うとともに、測光手段により測定した明るさと前記絞りの移動量とに基づいて前記絞り制御を行うことを特徴とするレンズ交換式カメラボディ。
【請求項９】
レンズ交換式カメラボディに着脱可能であり、装着された該レンズ交換式カメラボディとの間で少なくとも第１および第２の電気接点を介して情報の入出力を行う交換レンズにおいて、
焦点調節用レンズを駆動する焦点調節機構と、
絞りを駆動する絞り機構と、を有し、
前記絞り機構の制御に関する所定条件が成立する前は、前記第１および第２の電気接点を、前記焦点調節機構による焦点調節レンズの移動に関する第１情報を前記レンズ交換式カメラボディに対して出力するために使用し、
前記第１情報は、前記第１の電気接点から出力される第１レンズ移動情報と前記第２の電気接点から出力される第２レンズ移動情報とを含み、
前記所定条件が成立すると、前記第１の電気接点を、前記第１レンズ移動情報を前記レンズ交換式カメラボディに対して出力する電気接点として使用するとともに、前記第２の電気接点を、前記絞り機構による絞り制御に関する第２情報を前記レンズ交換式カメラボディに対して出力する電気接点として使用することを特徴とする交換レンズ。
【請求項１０】
請求項９に記載の交換レンズにおいて、
前記絞り機構で制御すべき前記絞りの移動量の出力指令を受信可能な所定状態に設定されたときに、前記所定条件が成立したものと認識することを特徴とする交換レンズ。
【請求項１１】
請求項１０に記載の交換レンズにおいて、
前記レンズ交換式カメラボディにおいて静止画撮影モードが設定され且つ静止画記録動作が指示されたとき、または該レンズ交換式カメラボディにおいて動画撮影モードに設定されたときに、それに応じて前記所定状態に設定されることを特徴とする交換レンズ。
【請求項１２】
レンズ交換式カメラボディに着脱可能であり、装着された該レンズ交換式カメラボディとの間で少なくとも第１および第２の電気接点を介して情報の入出力を行う交換レンズにおいて、
焦点調節用レンズを駆動する焦点調節機構と、
絞りを駆動する絞り機構と、を有し、
前記絞り機構の制御に関する所定条件が成立する前は、前記第１および第２の電気接点を、前記焦点調節機構による焦点調節レンズの移動に関する第１情報を前記レンズ交換式カメラボディに対して出力するために使用し、
前記所定条件が成立すると、前記第１の電気接点を、前記第１情報を前記レンズ交換式カメラボディに対して出力する電気接点として使用するとともに、前記第２の電気接点を、前記絞り機構による絞り制御に関する第２情報を前記レンズ交換式カメラボディに対して出力する電気接点として使用し、
前記第２の電気接点が前記第２情報の出力用として使用されていないときの前記第１情報は、前記焦点調節レンズの移動量および移動方向を含み、
前記第２の電気接点が前記第２情報の出力用として使用されているときの前記第１情報は、前記焦点調節レンズの移動量のみを含むことを特徴とする交換レンズ。
【請求項１３】
請求項９〜１２の何れか一項に記載の交換レンズにおいて、
前記第２情報は、前記絞りの移動量であることを特徴とする交換レンズ。
【発明の詳細な説明】
【技術分野】
【０００１】
本発明は、レンズ交換式カメラボディと装着する交換レンズに関する。
【背景技術】
【０００２】
レンズマウント部の電気接点を介して交換レンズからレンズ移動量と移動方向および絞り値を受信するようにしたカメラボディが知られている。
【先行技術文献】
【特許文献】
【０００３】
【特許文献１】特開２００６−２１５３１０号公報
【発明の概要】
【発明が解決しようとする課題】
【０００４】
ところで、動画を撮影する場合には、被写体変化にともなう光量変化に対して滑らかに絞りの駆動を行うために、絞りの移動軌跡をフィードバックして絞りを制御する必要がある。そのため、絞り駆動時に絞りの移動軌跡を交換レンズからカメラボディに伝達する専用の電気接点をレンズマウント部に設置しなければならないが、そうすると電気接点の数が増えてしまうという問題がある。
【課題を解決するための手段】
【０００５】
請求項１の発明によるレンズ交換式カメラボディは、焦点調節機構および絞り機構を備えた交換レンズとの間で少なくとも第１および第２の電気接点を介して情報の入出力を行い、前記交換レンズの焦点調節制御および絞り制御を行う制御手段を備え、前記絞り機構の制御に関する所定条件が成立する前は、前記第１および第２の電気接点を、前記焦点調節機構による焦点調節レンズの移動に関する第１情報を前記交換レンズから入力するために使用し、前記第１情報は、前記第１の電気接点から入力される第１レンズ移動情報と前記第２の電気接点から入力される第２レンズ移動情報とを含み、前記所定条件が成立すると、前記第１の電気接点を、前記交換レンズからの前記第１レンズ移動情報の入力用の電気接点として使用するとともに、前記第２の電気接点を、前記交換レンズからの前記絞り機構による絞り制御に関する第２情報の入力用の電気接点として使用することを特徴とする。
請求項４の発明によるレンズ交換式カメラボディは、焦点調節機構および絞り機構を備えた交換レンズとの間で少なくとも第１および第２の電気接点を介して情報の入出力を行い、前記交換レンズの焦点調節制御および絞り制御を行う制御手段を備え、前記絞り機構の制御に関する所定条件が成立する前は、前記第１および第２の電気接点を、前記焦点調節機構による焦点調節レンズの移動に関する第１情報を前記交換レンズから入力するために使用し、前記所定条件が成立すると、前記第１の電気接点を、前記交換レンズからの前記第１情報の入力用の電気接点として使用するとともに、前記第２の電気接点を、前記交換レンズからの前記絞り機構による絞り制御に関する第２情報の入力用の電気接点として使用し、前記第２の電気接点が前記第２情報の入力用として使用されていないときの前記第１情報は、前記焦点調節レンズの移動量および移動方向を含み、前記第２の電気接点が前記第２情報の入力用として使用されているときの前記第１情報は、前記焦点調節レンズの移動量のみを含むことを特徴とする。
請求項６の発明によるレンズ交換式カメラボディは、焦点調節機構および絞り機構を備えた交換レンズとの間で少なくとも第１および第２の電気接点を介して情報の入出力を行い、前記交換レンズの焦点調節制御および絞り制御を行う制御手段を備え、前記絞り機構の制御に関する所定条件が成立する前は、前記第１および第２の電気接点を、前記焦点調節機構による焦点調節レンズの移動に関する第１情報を前記交換レンズから入力するために使用し、前記所定条件が成立すると、前記第１の電気接点を、前記交換レンズからの前記第１情報の入力用の電気接点として使用するとともに、前記第２の電気接点を、前記交換レンズからの前記絞り機構による絞り制御に関する第２情報の入力用の電気接点として使用し、前記制御手段は、前記第２の電気接点が前記第２情報の入力用として使用されていないときは、前記交換レンズから、前記第１の電気接点を介して前記焦点調節レンズの移動量を入力するとともに、前記第２の電気接点を介して前記焦点調節レンズの移動方向を入力し、前記第２の電気接点が前記第２情報の入力用として使用されているときは、前記交換レンズから、前記第１の電気接点を介して前記焦点調節レンズの移動量を入力するとともに、前記第２の電気接点を介して前記絞りの移動量を入力することを特徴とする。
請求項９の発明は、レンズ交換式カメラボディに着脱可能であり、装着された該レンズ交換式カメラボディとの間で少なくとも第１および第２の電気接点を介して情報の入出力を行う交換レンズにおいて、焦点調節用レンズを駆動する焦点調節機構と、絞りを駆動する絞り機構と、を有し、前記絞り機構の制御に関する所定条件が成立する前は、前記第１および第２の電気接点を、前記焦点調節機構による焦点調節レンズの移動に関する第１情報を前記レンズ交換式カメラボディに対して出力するために使用し、前記第１情報は、前記第１の電気接点から出力される第１レンズ移動情報と前記第２の電気接点から出力される第２レンズ移動情報とを含み、前記所定条件が成立すると、前記第１の電気接点を、前記第１レンズ移動情報を前記レンズ交換式カメラボディに対して出力する電気接点として使用するとともに、前記第２の電気接点を、前記絞り機構による絞り制御に関する第２情報を前記レンズ交換式カメラボディに対して出力する電気接点として使用することを特徴とする。
請求項１２の発明は、レンズ交換式カメラボディに着脱可能であり、装着された該レンズ交換式カメラボディとの間で少なくとも第１および第２の電気接点を介して情報の入出力を行う交換レンズにおいて、焦点調節用レンズを駆動する焦点調節機構と、絞りを駆動する絞り機構と、を有し、前記絞り機構の制御に関する所定条件が成立する前は、前記第１および第２の電気接点を、前記焦点調節機構による焦点調節レンズの移動に関する第１情報を前記レンズ交換式カメラボディに対して出力するために使用し、前記所定条件が成立すると、前記第１の電気接点を、前記第１情報を前記レンズ交換式カメラボディに対して出力する電気接点として使用するとともに、前記第２の電気接点を、前記絞り機構による絞り制御に関する第２情報を前記レンズ交換式カメラボディに対して出力する電気接点として使用し、前記第２の電気接点が前記第２情報の出力用として使用されていないときの前記第１情報は、前記焦点調節レンズの移動量および移動方向を含み、前記第２の電気接点が前記第２情報の出力用として使用されているときの前記第１情報は、前記焦点調節レンズの移動量のみを含むことを特徴とする。
【発明の効果】
【０００６】
本発明によれば、電気接点の数を増やすことなく、必要に応じてレンズ情報と絞り情報とを同時に入手することができ、例えば動画撮影時には被写体変化にともなう光量変化に対して絞りを滑らかに駆動することができる。
【図面の簡単な説明】
【０００７】
【図１】一実施の形態の構成を示す図
【図２】レンズ接点を介して交換レンズ側からカメラボディ側へ送られる信号を示す図
【図３】一実施の形態の撮影モードに応じたレンズ接点の切り換え動作を示すフローチャート
【図４】変形例のレンズ接点を介して交換レンズ側からカメラボディ側へ送られる信号を示す図
【発明を実施するための形態】
【０００８】
図１は、レンズ交換式カメラボディに交換レンズが装着された一実施の形態の構成を示す。なお、図１では本願発明と直接関係のないカメラの機器や装置などの図示と説明を省略する。カメラボディ１は、レンズマウント部(不図示)に各種の交換レンズ２を装着することができる。カメラボディ１は、マイクロコントローラー(microcontroller;以下、ＭＣＵと呼ぶ)１１、ＡＦ(Auto Focus)センサー１２、測光センサー１３、シャッター釦１４、モード選択スイッチ１５、シャッター駆動回路１６、シャッター１７などを備えている。また、交換レンズ２は、マイクロコントローラー（以下、ＭＣＵと呼ぶ）２１、ＡＦ用モータードライバー２２、ＡＦ用モーター２３、フォーカシングレンズ２４、ＡＦ用エンコーダー２５、絞り用モータードライバー２６、絞り用モーター２７、絞り２８、絞り用エンコーダー２９、アナログスイッチ３０などを備えている。
【０００９】
ボディ側ＭＣＵ１１は図示しないＣＰＵ、メモリ、Ａ／Ｄコンバーターなどを備え、カメラの各種演算制御およびシーケンス制御を実行するとともに、レンズ側ＭＣＵ２１と通信を行ってフォーカシングレンズ２４と絞り２８の駆動指令を送信し、それらの移動量および移動方向を受信する。ＡＦセンサー１２はフォーカシングレンズ２４のピントズレ量を検出する。この一実施の形態では位相差ＡＦを行ってフォーカシングレンズ２４のデフォーカス量を検出する例を示すが、撮像素子(不図示)からの画像信号に基づいてコントラストＡＦを行い、コントラスト評価値を検出するようにしてもよい。測光センサー１３は被写体の明るさを測定するセンサーであり、測定結果に基づいて露出演算を行いシャッタースピードと絞り値を算出する。シャッター釦１４は２段押し構造になっており、１段目までの半押し操作でＡＦ動作と測光動作を開始し、２段目までの全押し操作で撮像素子(不図示)の露光動作を開始する。シャッター１７はシャッター駆動回路１６により駆動され、交換レンズ２から入射した被写体光の露光量を制御する。
【００１０】
レンズ側ＭＣＵ２１は図示しないＣＰＵ、メモリ、Ａ／Ｄコンバーターなどを備え、フォーカシングレンズ２４および絞り２８の駆動制御を行うとともに、ボディ側ＭＣＵ１１と通信を行ってフォーカシングレンズ２４と絞り２８の移動量および移動方向を送信し、それらの駆動指令を受信する。ＡＦ用モータードライバー２２は、レンズ側ＭＣＵ２１のレンズ駆動指令にしたがってＡＦ用モーター２３を駆動し、フォーカシングレンズ２４を光軸方向の前後に移動して焦点調節を行う。ＡＦ用エンコーダー２５は、フォーカシングレンズ２４の移動量と移動方向を検出し、移動量と移動方向に応じたパルス列信号を出力する。絞り用モータードライバー２６は、レンズ側ＭＣＵ２１の絞り駆動指令にしたがって絞り用モーター２７を駆動し、絞り２８を制御する。絞り用エンコーダー２９は絞り２８の移動量を検出し、移動量に応じたパルス列信号を出力する。
【００１１】
アナログスイッチ３０は、ＡＦ用エンコーダー２５により検出されたフォーカシングレンズ２４の移動方向に応じたパルス信号と、絞り用エンコーダー２９により検出された絞り２８の移動量に応じたパルス列信号の内のいずれか一方を選択し、レンズ接点Ｃ５へ出力するスイッチである。アナログスイッチ３０はレンズ側ＭＣＵ２１により制御され、レンズ側ＭＣＵ２１の端子Ｐ１０５からの制御信号がローレベルのときはレンズ移動方向に応じたパルス信号を選択し、ハイレベルのときは絞り移動量に応じたパルス列信号を選択する。
【００１２】
次に、カメラボディ１と交換レンズ２との間の信号の授受について説明する。カメラボディ１のＭＣＵ１１と交換レンズ２のＭＣＵ２１は、レンズ接点Ｃ１、Ｃ２、Ｃ３を介してそれぞれのシリアル通信端子ＳＣＫ、ＳＩ、ＳＯによりシリアル通信を行う。シリアル通信端子ＳＣＫはクロック信号用、シリアル通信端子ＳＩは入力信号用、シリアル通信端子ＳＯは出力信号用の端子である。これらのシリアル通信端子ＳＣＫ、ＳＩ、ＳＯを介して、カメラボディ１側から交換レンズ２側へフォーカシングレンズ２４や絞り２８の駆動指令とアナログスイッチ３０の切り替え指令などが送られ、交換レンズ２側からカメラボディ１側へフォーカシングレンズ２４や絞り２８などの交換レンズ２のデータが送られる。
【００１３】
カメラボディ１と交換レンズ２はまた、上述したように、２つのレンズ接点Ｃ４、Ｃ５を介してフォーカシング２４の移動量と移動方向および絞り２８の移動量の授受を行う。レンズ接点Ｃ４を介して交換レンズ２のＡＦ用エンコーダー２５からカメラボディ１のＭＣＵ１１の端子Ｐ１へ、フォーカシングレンズ２４の移動量に応じたパルス列信号が送られる。また、レンズ接点Ｃ５を介して交換レンズ２のＡＦ用エンコーダー２５または絞り用エンコーダー２９からカメラボディ１のＭＣＵ１１の端子Ｐ１へ、フォーカシングレンズ２４の移動方向に応じたパルス信号か、または絞り２８の移動量に応じたパルス列信号が送られる。上述したように、これらの信号はアナログスイッチ３０により切り替えられる。
【００１４】
図２は、レンズ接点Ｃ４とＣ５を介して交換レンズ２側からカメラボディ１側へ送られる信号を示す。上述したように、レンズ接点Ｃ４は、フォーカシングレンズ２４の移動量に応じたパルス列信号を伝達するための専用端子である。一方、レンズ接点Ｃ５は、フォーカシングレンズ２４の移動方向に応じたパルス信号と、絞り２８の移動量に応じたパルス列信号とを切り替えて伝達するための兼用端子である。この明細書では、アナログスイッチ３０がＡＦ用エンコーダー２５側に切り替えられ、レンズ接点Ｃ４を介してレンズ移動量が、レンズ接点Ｃ５を介してレンズ移動方向がそれぞれ伝達されるモードを“ＡＦ方向モード”と呼び、アナログスイッチ３０が絞り用エンコーダー２９側に切り替えられ、レンズ接点Ｃ４を介してレンズ移動量が、レンズ接点Ｃ５を介して絞り移動量がそれぞれ伝達されるモードを“ＡＦ絞りモード”と呼ぶ。
【００１５】
図２において、(ａ)は、ＡＦ方向モードにおけるフォーカシングレンズ２４の移動量に応じたパルス列信号（上）と、フォーカシングレンズ２４の移動方向に応じたパルス信号（下）を示す。また、(ｂ)は、ＡＦ絞りモードにおけるフォーカシングレンズ２４の移動量に応じたパルス列信号（上）と、絞り２８の移動量に応じたパルス列信号（下）を示す。ＡＦ用エンコーダー２５は二相式エンコーダーであり、フォーカシングレンズ２４の移動にともなって位相が９０度ずれたＡ相パルス列とＢ相パルス列とを生成する。レンズ接点Ｃ４を介して伝達されるフォーカシングレンズ２４の移動量に応じたパルス列信号は、Ａ相パルスとＢ相パルスの両方のパルスの立ち上がりエッジおよび立ち下がりエッジにより生成した信号であり、フォーカシングレンズ２４の所定の移動量ごとにローレベルとハイレベルとが切り替わる。このパルス列信号はフォーカシングレンズ２４のＡＦ制御においてレンズ移動量を示すフィードバック信号として用いられ、パルス数を計数することによってフォーカシングレンズ２４の移動量を把握することができる。なお、フォーカシングレンズ２４の移動速度が高いほどパルス間隔が短くなる。
【００１６】
また、ＡＦ方向モードにおいてレンズ接点Ｃ５を介して伝達されるフォーカシングレンズ２４の移動方向に応じたパルス信号は、Ａ相パルスとＢ相パルスの位相が反転した時点でローレベルとハイレベルが切り替わる信号であり、フォーカシングレンズ２４が至近側から無限遠側へ移動するときローレベルになり、無限遠側から至近側へ移動するときにハイレベルになる。さらに、ＡＦ絞りモードにおいてレンズ接点Ｃ５を介して伝達される絞り２８の移動量に応じたパルス列信号は、絞り２８の所定の移動量ごとにローレベルとハイレベルが切り替わる信号である。このパルス列信号は絞り２８の制御において絞り２８の移動量を示すフィードバック信号として用いられ、パルス数を計数することによって絞り２８の移動量を把握することができる。
【００１７】
図３は、一実施の形態の撮影モードに応じたＡＦ方向モードとＡＦ絞りモードの切り替え動作を示すフローチャートである。カメラの電源がオンしている間、カメラボディ１のＭＣＵ１１と交換レンズ２のＭＣＵ２１は図３に示す動作を繰り返し実行する。ステップ１において、モード選択スイッチ１５により選択された撮影モードが静止画モードか動画モードかを判別する。静止画モードが選択されているときはステップ２へ進み、動画モードが選択されているときはステップ１０１へ進む。
【００１８】
まず、静止画モードが選択されている場合について説明する。ステップ２において、カメラボディＭＣＵ１１のシリアル通信端子ＳＯからレンズ接点Ｃ３を介して交換レンズＭＣＵ２１のシリアル通信端子ＳＩへ、“ＡＦ方向モード”移行指示を伝達する。続くステップ３で、ＡＦ方向モードへの移行指示を受信した交換レンズＭＣＵ２１は端子Ｐ１０５をローレベルにする。これによりアナログスイッチ３０がＡＦ用エンコーダー２５のレンズ移動方向信号を選択し、フォーカシングレンズ２４の移動方向に応じたパルス信号がレンズ接点Ｃ５を介してボディＭＣＵ１１の端子Ｐ２へ伝達される。
【００１９】
ステップ４でシャッター釦１４の半押し操作を待ち、半押し操作があるとステップ５へ進む。ステップ５ではＡＦ合焦制御を行い、ＡＦセンサー１２により検出されたデフォーカス量に基づいてフォーカシングレンズ２４の駆動量を演算し、シリアル通信端子ＳＯからレンズ接点Ｃ３を介してレンズ側ＭＣＵ２１のシリアル通信端子ＳＩへ伝達する。レンズ駆動量を受信したレンズ側ＭＣＵ２１は、モータードライバー２２を制御してＡＦ用モーター２３によりフォーカシングレンズ２４を駆動し、合焦させる。フォーカシングレンズ２４の移動にともない、ＡＦ用エンコーダー２５から移動量に応じたパルス列信号が発生する。このレンズ移動量を示すパルス列信号は、レンズ接点Ｃ４を介してボディＭＣＵ１１の端子Ｐ１へフィードバックされる。このとき同時に、レンズ移動方向を示すパルス信号が、アナログスイッチ３０からレンズ接点Ｃ５を介してボディＭＣＵ１１の端子Ｐ２へフィードバックされる。ボディ側ＭＣＵ１１は、レンズ駆動量とレンズ移動量および移動方向のフィードバック値とに基づいてフォーカシングレンズ２４の移動量を制御する。
【００２０】
ステップ６でシャッター釦１４の全押し操作を待ち、全押し操作があるとステップ７へ進む。ステップ７において、カメラボディＭＣＵ１１のシリアル通信端子ＳＯからレンズ接点Ｃ３を介して交換レンズＭＣＵ２１のシリアル通信端子ＳＩへ、“ＡＦ絞りモード”移行指示を伝達する。続くステップ８で、ＡＦ絞りモードへの移行指示を受信した交換レンズＭＣＵ２１は、端子Ｐ１０５をハイレベルにする。これによりアナログスイッチ３０が絞り用エンコーダー２９の絞り移動量信号を選択し、絞り２８の移動量に応じたパルス列信号がレンズ接点Ｃ５を介してボディＭＣＵ１１の端子Ｐ２へ伝達される。
【００２１】
ＡＦ絞りモードに切り替えた後のステップ９において、ボディＭＣＵ１１のシリアル通信端子Ｓ０からレンズ接点Ｃ３を介して交換レンズＭＣＵ２１のシリアル通信端子ＳＩへ、絞り制御指示を伝達する。なお、制御絞り値は、測光センサー１３により測定された被写体輝度に基づいて露出演算を行い、シャッター速度とともに算出したものである。絞り制御指示を受信した交換レンズＭＣＵ２１は、絞り用モータードライバー２６を制御して絞り用モーター２７により絞り２８を駆動し、制御絞り値に設定する。絞り２８の移動にともない、絞り用エンコーダー２９から移動量に応じたパルス列信号が発生する。この絞り移動量を示すパルス列信号は、アナログスイッチ３０からレンズ接点Ｃ５を介してボディＭＣＵ１１の端子Ｐ２へフィードバックされる。ボディ側ＭＣＵ１１は、絞り制御指示値と絞り移動量のフィードバック値とに基づいて絞り２８の移動量を制御する。
【００２２】
絞り制御後のステップ１０において、シャッター駆動回路１６によりシャッター１７を駆動して撮像素子(不図示)の露光制御を行い、被写体像を撮像する。続くステップ１１では、ボディＭＣＵ１１のシリアル通信端子ＳＯからレンズ接点Ｃ３を介して交換レンズＭＣＵ２１のシリアル通信端子ＳＩへ絞り開放指示を伝達する。絞り開放指示を受信した交換レンズＭＣＵ２１は、絞り用モータードライバー２６を制御して絞り用モーター２７により絞り２８を駆動し、開放状態にする。絞り２８の開放側への移動にともない、絞り用エンコーダー２９から移動量に応じたパルス列信号が発生する。この絞り移動量を示すパルス列信号は、アナログスイッチ３０からレンズ接点Ｃ５を介してボディＭＣＵ１１の端子Ｐ２へフィードバックされる。ボディ側ＭＣＵ１１は、絞り開放指示値と絞り移動量のフィードバック値とに基づいて絞り２８を開放側に制御する。
【００２３】
ステップ１２において、ボディＭＣＵ１１のシリアル通信端子ＳＯからレンズ接点Ｃ３を介して交換レンズＭＣＵ２１のシリアル通信端子ＳＩへ、“ＡＦ方向モード”移行指示を伝達する。続くステップ１３で、ＡＦ方向モードへの移行指示を受信した交換レンズＭＣＵ２１は、端子Ｐ１０５をローレベルにする。これによりアナログスイッチ３０がＡＦ用エンコーダー２５のレンズ移動方向信号を選択し、フォーカシングレンズ２４の移動方向に応じたパルス列信号がレンズ接点Ｃ５を介してボディＭＣＵ１１の端子Ｐ２へ伝達される。
【００２４】
ステップ１４において、カメラの電源がオフされたか否かを判別し、電源がオフされていない場合はステップ１へ戻って上述した処理を繰り返し、電源がオフされた場合はこの動作を終了する。
【００２５】
次に、動画モードが設定されている場合の動作を説明する。ステップ１０１において、ボディＭＣＵ１１のシリアル通信端子ＳＯからレンズ接点Ｃ３を介して交換レンズＭＣＵ２１のシリアル通信端子ＳＩへ、“ＡＦ絞りモード”移行指示を伝達する。続くステップ１０２で、ＡＦ絞りモードへの移行指示を受信した交換レンズＭＣＵ２１は端子Ｐ１０５をハイレベルにする。これによりアナログスイッチ３０が絞り用エンコーダー２９の絞り移動量信号を選択し、絞り２８の移動量に応じたパルス列信号がレンズ接点Ｃ５を介してボディＭＣＵ１１の端子Ｐ２へ伝達される。
【００２６】
ステップ１０３においてＡＦ合焦動作と絞り動作を行う。ＡＦセンサー１２により検出されたデフォーカス量に基づいてフォーカシングレンズ２４の駆動量を演算し、シリアル通信端子ＳＯからレンズ接点Ｃ３を介してレンズ側ＭＣＵ２１のシリアル通信端子ＳＩへ伝達する。レンズ駆動量を受信したレンズ側ＭＣＵ２１は、モータードライバー２２を制御してＡＦ用モーター２３によりフォーカシングレンズ２４を駆動し、合焦させる。フォーカシングレンズ２４の移動にともない、ＡＦ用エンコーダー２５から移動量に応じたパルス列信号が発生する。このレンズ移動量を示すパルス列信号は、レンズ接点Ｃ４を介してボディＭＣＵ１１の端子Ｐ１へフィードバックされる。ボディ側ＭＣＵ１１は、レンズ駆動量とレンズ移動量のフィードバック値とに基づいてフォーカシングレンズ２４の移動量を制御する。
【００２７】
また、測光センサー１３により測定された被写体輝度に基づいて露出演算を行い、制御絞り値を算出してシリアル通信端子ＳＯからレンズ接点Ｃ３を介してレンズ側ＭＣＵ２１のシリアル通信端子ＳＩへ伝達する。絞り制御指示を受信した交換レンズＭＣＵ２１は、絞り用モータードライバー２６を制御して絞り用モーター２７により絞り２８を駆動し、制御絞り値に設定する。絞り２８の移動にともない、絞り用エンコーダー２９から移動量に応じたパルス列信号が発生する。この絞り移動量を示すパルス列信号は、アナログスイッチ３０からレンズ接点Ｃ５を介してボディＭＣＵ１１の端子Ｐ２へフィードバックされる。ボディ側ＭＣＵ１１は、絞り制御指示値と絞り移動量のフィードバック値とに基づいて絞り２８の移動量を制御する。
【００２８】
ステップ１０４においてシャッター釦１４の全押し操作を検出し、全押し操作がなされていればステップ１０５へ進み、そうでなければステップ１０９へ進む。シャッター釦１４が全押しされている場合は、ステップ１０５でシャッター駆動回路１６によりシャッター１７を開放し、撮像素子(不図示)により動画の撮像を開始する。続くステップ１０６では、撮像素子により撮像された動画を記録媒体(不図示)に記録する。ステップ１０７でシャッター釦１４が全押し操作されたままか否かを判別し、全押し操作されていればステップ１０５へ戻って上述した動画撮影動作を継続し、全押し操作がなければステップ１０８へ進む。ステップ１０８ではシャッター駆動回路１６によりシャッター１７を閉じる。
【００２９】
ステップ１０９において、モード選択スイッチ１５による撮影モードの変更があるか否かを判別し、撮影モードの変更があればステップ１へ戻り、撮影モードの変更がなければステップ１１０へ進む。ステップ１１０でカメラの電源がオフされたか否かを判別し、電源がオフされていなければステップ１０３へ戻り、電源がオフされていればこの動作を終了する。
【００３０】
なお、上述した一実施の形態では、２個のレンズ接点Ｃ４とＣ５の内の一方Ｃ４をレンズ移動量の伝達用として用い、他方Ｃ５をレンズ移動方向の伝達用と絞り移動量の伝達用とで兼用する例を示したが、絞りの移動量と移動方向を伝達する場合には、例えば図４に示すように、ＡＦ用エンコーダー２５から出力されるレンズ移動量を専用のレンズ接点Ｃ４を介して伝達し、絞り用エンコーダー２９から出力される絞り移動量を専用のレンズ接点Ｃ６を介して伝達し、ＡＦ用エンコーダー２５から出力されるレンズ移動方向と、絞り用エンコーダー２９から出力される絞り移動方向とをアナログスイッチ３０により切り換えて兼用のレンズ接点Ｃ５を介して伝達するようにしてもよい。この場合、ＡＦ方向モード設定時には、アナログスイッチ３０によりＡＦ用エンコーダー２５のレンズ移動方向をレンズ接点Ｃ５へ接続し、ＡＦ絞りモード設定時には、アナログスイッチ３０により絞りエンコーダー２９の絞り移動方向をレンズ接点Ｃ５へ接続すればよい。
【００３１】
また、上述した一実施の形態とその変形例では、エンコーダー２５、２９の位相が９０度ずれたＡ相のパルス列信号とＢ相のパルス列信号とを合成し、移動量を示すパルス列信号と移動方向を示すパルス信号を生成し、ＡＦ方向モード設定時にこれらの信号を２つのレンズ接点Ｃ４、Ｃ５を介してボディ側ＭＣＵ１１へフィードバックする例を示したが（図１参照）、ＡＦ方向モード設定時はＡＦ用エンコーダー２５のＡ相のパルス列信号とＢ相のパルス列信号とを２つのレンズ接点を介してボディ側ＭＣＵ１１へフィードバックするようにしてもよい。また、ＡＦ絞りモード設定時には、ＡＦ用エンコーダー２５のＡ相またはＢ相のパルス列信号をレンズ接点Ｃ４を介してボディ側ＭＣＵ１１へフィードバックするとともに、絞り用エンコーダー２９のＡ相またはＢ相のパルス列信号をレンズ接点Ｃ５を介してボディ側ＭＣＵ１１へフィードバックすればよい。
【００３２】
さらに、上述した一実施の形態では、カメラボディ１側から交換レンズ２側へ“ＡＦ方向モード”または“ＡＦ絞りモード”の指令信号を送り、指令信号を受信した交換レンズ２側で指令信号に応じてアナログスイッチ３０を切り換え、レンズ移動量信号または絞り移動量をカメラボディ１側へ送る例を示したが、カメラボディ側ＭＣＵ１１と交換レンズＭＣＵ２１との間の情報の授受により、交換レンズ側ＭＣＵ２１がカメラボディ１側の設定状態を認識し、カメラボディ１側の設定状態が所定条件、例えば動画モードへの設定切り換えが行われた場合や、露光のための絞り制御が行われた場合などを満たした場合に“ＡＦ方向モード”から“ＡＦ絞りモード”へ切り換え、兼用接点Ｃ５を介してレンズ移動方向信号の代わりに絞り移動量信号をカメラボディ１側へ出力するようにしてもよい。
【００３３】
なお、上述した実施の形態とそれらの変形例において、実施の形態と変形例とのあらゆる組み合わせが可能である。
【００３４】
上述した実施の形態とその変形例によれば、レンズ接点の数を増やすことなく、必要に応じてレンズ情報と絞り情報とを同時に入手することができ、例えば動画撮影時には被写体変化にともなう光量変化に対して絞りを滑らかに駆動することができる。
【符号の説明】
【００３５】
１；カメラボディ、２；交換レンズ、１１；ボディ側ＭＣＵ、１２；ＡＦセンサー、１３；測光センサー、２１；交換レンズ側ＭＣＵ、２２；ＡＦ用モータードライバー、２３；ＡＦ用モーター、２４；フォーカシングレンズ、２５；ＡＦ用エンコーダー、２６；絞り用モータードライバー、２７；絞り用モーター、２８；絞り、２９；絞り用エンコーダー、３０；アナログスイッチ、Ｃ１〜Ｃ６；レンズ接点（電気接点）
【図１】
0005521507.tif 000002
【図２】
0005521507.tif 000003
【図３】
0005521507.tif 000004
【図４】
0005521507.tif 000005